【手続補正書】
【提出日】平成25年12月6日(2013.12.6)
【手続補正１】
【補正対象書類名】明細書
【補正対象項目名】発明の名称
【補正方法】変更
【補正の内容】
【発明の名称】映像復号化装置
【手続補正２】
【補正対象書類名】明細書
【補正対象項目名】０００１
【補正方法】変更
【補正の内容】
【０００１】
本発明は映像処理に係り、より詳しくは映像復号化装置に関する。
【手続補正３】
【補正対象書類名】明細書
【補正対象項目名】０００４
【補正方法】変更
【補正の内容】
【０００４】
本発明の技術的課題は、映像符号化／復号化の効率を上げることができる映像復号化装置を提供することにある。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
１．  本発明の一実施形態にかかる映像復号化装置は、左側隣接予測モード及び上段隣接予測モードから隣接予測モード情報を導出し、前記導出された隣接予測モード情報を利用し、復号化対象ユニットに対するイントラ予測モードを導出し、前記導出されたイントラ予測モードに基づき、前記復号化対象ユニットに対するイントラ予測を実行する予測モジュールを備え、前記左側隣接予測モードは、前記復号化対象ユニットの左側に隣接した左側隣接ユニットのイントラ予測モードであり、前記上段隣接予測モードは、前記復号化対象ユニットの上段に隣接した上段隣接ユニットのイントラ予測モードであり、前記隣接予測モード情報は、前記左側隣接予測モードのモード番号及び前記上段隣接予測モードのモード番号を含むことを特徴とする。
【手続補正９】
【補正対象書類名】明細書
【補正対象項目名】００１０
【補正方法】変更
【補正の内容】
【００１０】
２．  １において、前記予測モジュールは、前記復号化対象ユニットに対する最確モード（ＭＰＭ(Ｍｏｓｔ Ｐｒｏｂａｂｌｅ Ｍｏｄｅ)）フラグおよびＭＰＭインデックスを受信して復号化し、前記隣接予測モード情報を利用し、前記復号化対象ユニットに対するＭＰＭ候補を決定し、前記決定されたＭＰＭ候補を利用してＭＰＭリストを生成し、前記復号化されたＭＰＭインデックスおよび前記生成されたＭＰＭリストを用いて復号化対象ユニットのイントラ予測モードを導出するものであり、前記ＭＰＭインデックスは、前記ＭＰＭリスト中に含まれる前記ＭＰＭ候補中、前記復号化対象ユニットの前記イントラ予測モードと同一の候補を示すインデックスである。
【手続補正１０】
【補正対象書類名】明細書
【補正対象項目名】００１１
【補正方法】変更
【補正の内容】
【００１１】
３．２において、前記予測モジュールは、前記左側隣接予測モード及び前記上段隣接予測モードを前記ＭＰＭ候補として決定するするものであり、前記ＭＰＭリストは３つのＭＰＭ候補を含む。
【手続補正１１】
【補正対象書類名】明細書
【補正対象項目名】００１２
【補正方法】変更
【補正の内容】
【００１２】
４．  ３において、前記予測モジュールは、前記左側隣接予測モードと前記上段隣接予測モードが同一の場合、所定のイントラ予測モードを追加ＭＰＭ候補として決定する。
【手続補正１２】
【補正対象書類名】明細書
【補正対象項目名】００１３
【補正方法】変更
【補正の内容】
【００１３】
５．  ４において、前記所定のイントラ予測モードは、ＤＣモードまたはプラナー(ｐｌａｎａｒ)モードである。
【手続補正１３】
【補正対象書類名】明細書
【補正対象項目名】００１４
【補正方法】変更
【補正の内容】
【００１４】
６．  ５において、前記左側隣接予測モード及び前記上段隣接予測モードがプラナーモードである場合、前記所定のイントラ予測モードは、ＤＣモードであり、前記左側隣接ユニット又は前記上段隣接ユニットがＤＣモードである場合、前記所定のイントラ予測モードは、ＤＣモードである。
【手続補正１４】
【補正対象書類名】明細書
【補正対象項目名】００１５
【補正方法】変更
【補正の内容】
【００１５】
７．  ３において、前記予測モジュールは、前記左側隣接ユニット又は前記上段隣接ユニットが使用できないとき、前記ＤＣモードを追加ＭＰＭ候補として決定する。
【手続補正１５】
【補正対象書類名】明細書
【補正対象項目名】００１６
【補正方法】変更
【補正の内容】
【００１６】
８．  １において、前記隣接予測モード情報を利用し、複数の文脈モデルのうち前記復号化対象ユニットに対する文脈モデルを選択し、選択された文脈モデルを用いて、前記復号化対象ユニット上のイントラ予測モード情報に基づいてエントロピー復号化を行うするエントロピー復号化モジュールを備え、前記案トラ予測モード情報は、ＭＰＭフラグ、ＭＰＭインデックス及び残りのモードの少なくとも1つを含む。
【手続補正１６】
【補正対象書類名】明細書
【補正対象項目名】００１７
【補正方法】変更
【補正の内容】
【００１７】
９．  ８において、前記エントロピー復号化モジュールは、モード番号情報に対応する文脈モデルを前記復号化対象ユニットに対する文脈モデルとして選択する。
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
本発明による映像復号化装置によれば、映像符号化/復号化の効率を向上させることができる。
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】特許請求の範囲
【補正対象項目名】全文
【補正方法】変更
【補正の内容】
【特許請求の範囲】
【請求項１】
左側隣接予測モード及び上段隣接予測モードから隣接予測モード情報を導出し、前記導出された隣接予測モード情報を利用し、復号化対象ユニットに対するイントラ予測モードを導出し、前記導出されたイントラ予測モードに基づき、前記復号化対象ユニットに対するイントラ予測を実行する予測モジュールを備え、
前記左側隣接予測モードは、前記復号化対象ユニットの左側に隣接した左側隣接ユニットのイントラ予測モードであり、前記上段隣接予測モードは、前記復号化対象ユニットの上段に隣接した上段隣接ユニットのイントラ予測モードであり、
前記隣接予測モード情報は、前記左側隣接予測モードのモード番号及び前記上段隣接予測モードのモード番号を含むことを特徴とする映像復号化装置。
【請求項２】
前記予測モジュールは、前記復号化対象ユニットに対する最確モード（ＭＰＭ(Ｍｏｓｔ Ｐｒｏｂａｂｌｅ Ｍｏｄｅ)）フラグおよびＭＰＭインデックスを受信して復号化し、前記隣接予測モード情報を利用し、前記復号化対象ユニットに対するＭＰＭ候補を決定し、前記決定されたＭＰＭ候補を利用してＭＰＭリストを生成し、前記復号化されたＭＰＭインデックスおよび前記生成されたＭＰＭリストを用いて復号化対象ユニットのイントラ予測モードを導出するものであり、前記ＭＰＭインデックスは、前記ＭＰＭリスト中に含まれる前記ＭＰＭ候補中、前記復号化対象ユニットの前記イントラ予測モードと同一の候補を示すインデックスであることを特徴とする請求項１に記載の映像復号化装置。
【請求項３】
前記予測モジュールは、前記左側隣接予測モード及び前記上段隣接予測モードを前記ＭＰＭ候補として決定するするものであり、前記ＭＰＭリストは３つのＭＰＭ候補を含むことを特徴とする請求項２に記載の映像復号化装置。
【請求項４】
前記予測モジュールは、前記左側隣接予測モードと前記上段隣接予測モードが同一の場合、所定のイントラ予測モードを追加ＭＰＭ候補として決定する請求項３に記載の映像復号化装置。
【請求項５】
前記所定のイントラ予測モードは、ＤＣモードまたはプラナー(ｐｌａｎａｒ)モードであることを特徴とする請求項４に記載の映像復号化装置。
【請求項６】
前記左側隣接予測モード及び前記上段隣接予測モードがプラナーモードである場合、前記所定のイントラ予測モードは、ＤＣモードであり、前記左側隣接ユニット又は前記上段隣接ユニットがＤＣモードである場合、前記所定のイントラ予測モードは、ＤＣモードであることを特徴とする請求項５に記載の映像復号化装置。
【請求項７】
前記予測モジュールは、前記左側隣接ユニット又は前記上段隣接ユニットが使用できないとき、前記ＤＣモードを追加ＭＰＭ候補として決定することを特徴とする請求項３に記載の映像復号化装置。
【請求項８】
前記隣接予測モード情報を利用し、複数の文脈モデルのうち前記復号化対象ユニットに対する文脈モデルを選択し、
選択された文脈モデルを用いて、前記復号化対象ユニット上のイントラ予測モード情報に基づいてエントロピー復号化を行うするエントロピー復号化モジュールを備え、
前記案トラ予測モード情報は、ＭＰＭフラグ、ＭＰＭインデックス及び残りのモードの少なくとも1つを含むことを特徴とする請求項１に記載の映像復号化装置。
【請求項９】
前記エントロピー復号化モジュールは、モード番号情報に対応する文脈モデルを前記復号化対象ユニットに対する文脈モデルとして選択することを特徴とする請求項８に記載の映像復号化装置。